(57)【要約】【課題】受信した信号の処理を当該信号の入力レベルの強弱によらず安定して行うことができるラジオ受信機を提供すること。【解決手段】ラジオ受信機は、アンテナが受信した信号のレベルを制御するＡＧＣ制御部と、信号の入力側からみた自機の入力インピーダンスを切り替えるインピーダンス切替部と、ＡＧＣ制御部によって制御された信号のレベルに応じて、インピーダンス切替部における入力インピーダンスの切り替えを制御するインピーダンス切替制御部とを備える。【選択図】図１
2013110463.tif 000002
【特許請求の範囲】
【請求項１】
アンテナが受信した信号のレベルを制御するＡＧＣ制御部と、
前記信号の入力側からみた自機の入力インピーダンスを切り替えるインピーダンス切替部と、
前記ＡＧＣ制御部によって制御された信号のレベルに応じて、前記インピーダンス切替部における前記入力インピーダンスの切り替えを制御するインピーダンス切替制御部と、
を備えたことを特徴とするラジオ受信機。
【請求項２】
前記ＡＧＣ制御部によって制御された信号のレベルが所定値よりも大きいとき、前記インピーダンス切替制御部は、前記入力インピーダンスが、前記ＡＧＣ制御部によって制御された信号のレベルが前記所定値以下のときの前記入力インピーダンスよりも高くなるよう前記インピーダンス切替部を制御することを特徴とする請求項１に記載のラジオ受信機。
【請求項３】
前記インピーダンス切替部は、ＰＩＮダイオード及びトランジスタを有し、前記トランジスタのベースが前記インピーダンス切替制御部と接続され、前記インピーダンス切替制御部から出力される制御電圧により、前記ＰＩＮダイオードの抵抗値が変化して前記入力インピーダンスが切り替わることを特徴とする請求項１又は２に記載のラジオ受信機。
【発明の詳細な説明】
【技術分野】
【０００１】
本発明は、異なるタイプのアンテナが装着され得るラジオ受信機に関する。
【背景技術】
【０００２】
特許文献１に記載されたラジオ受信機Ｒには、図５（Ａ），（Ｂ）に示すように、アンテナアンプを持たないポールアンテナＰＡ又はアンテナアンプ１０を有する硝子アンテナＧＡといった異なるタイプのアンテナが接続される。
ラジオ受信機Ｒは、図６に示すように、当該ラジオ受信機に接続されたアンテナアンプ１０を駆動するためのアンテナアンプ制御用出力回路５と、この制御用出力回路５に流れる電流を検出する電流検出回路９と、制御用ＣＰＵ２とを備える。
制御用ＣＰＵ２は、アンテナアンプ制御用出力回路５に流れる電流があらかじめ規定しておいたアンテナアンプ１０の接続時と判断する電流値に達していない場合は、アンテナアンプを持たないアンテナアンプが接続されたと判断する。
記憶装置７には、異なったタイプのアンテナごとにチューナに対する各設定値を格納する。制御用ＣＰＵ２には、検出されたアンテナタイプに対応した設定値を記憶装置７から読み出して、ラジオチューナ１に書き込む特性値設定手段１１を設ける。
ラジオ受信機Ｒによれば、異なるタイプのアンテナに対応して、自動的にチューナの特性を設定できる。
【先行技術文献】
【特許文献】
【０００３】
【特許文献１】特開２００６−２７０６８５号公報
【発明の概要】
【発明が解決しようとする課題】
【０００４】
一般的に、図５（Ｂ）のようにアンテナアンプを介してアンテナとラジオ受信機とが接続される場合、図５（Ａ）の場合と比較して、ラジオ受信機の入力インピーダンスは低くなる。
上記説明した特許文献１のラジオ受信機Ｒにおいては、ラジオチューナ１のソフトミュートレベル、ハイカット量などが自動的に設定されるが、ラジオ受信機Ｒの入力インピーダンスについては考慮されていない。
このため、図５（Ｂ）に示したアンテナアンプ１０を介してアンテナＧＡとラジオ受信機Ｒとが接続された状態では、ラジオ受信機Ｒの入力インピーダンスが低いために、受信電界強度が強い環境下、すなわち強入力環境下において、ＰＩＮダイオード等で構成されるアテネータによる十分な減衰効果が得られない。
その結果、復調等の処理が行われる信号に歪みが生じ、ラジオ受信機Ｒの性能を悪化させてしまう。
【０００５】
なお、「強入力環境」とは、ラジオ受信機の信号処理能力を超えたレベルの電波（放送波）が当該ラジオ受信機に入力される状態をいう。
ラジオ受信機によって能力が異なるため具体的な数値は一律に特定されないが、ラジオ受信機の設計段階で想定されたレベルを超した電波が入力される環境を「強入力環境」という。
強入力環境下のラジオ受信機は、例えば、復調部の入力段（Ｉ/Ｆ部の出力段）に設けられたＡ/Ｄコンバータの回路素子が飽和して、意図した信号処理ができない。
このため、一般的には、ラジオ受信機にＡＧＣ回路を設けて、当該ＡＧＣ回路によって電波を減衰させる。
【０００６】
本発明の目的は、受信した信号の処理を当該信号の入力レベルの強弱によらず安定して行うことができるラジオ受信機を提供することである。
【課題を解決するための手段】
【０００７】
本発明は、アンテナが受信した信号のレベルを制御するＡＧＣ制御部と、前記信号の入力側からみた自機の入力インピーダンスを切り替えるインピーダンス切替部と、前記ＡＧＣ制御部によって制御された信号のレベルに応じて、前記インピーダンス切替部における前記入力インピーダンスの切り替えを制御するインピーダンス切替制御部と、を備えたラジオ受信機を提供する。
【発明の効果】
【０００８】
本発明に係るラジオ受信機によれば、受信した信号のレベルに応じて入力インピーダンスが切り替えられるため、受信した信号の処理を当該信号の入力レベルの強弱によらず安定して行うことができる。
【図面の簡単な説明】
【０００９】
【図１】一実施形態のラジオ受信機の内部構成を示すブロック図
【図２】インピーダンス切替部を構成する回路を示す図
【図３】マイコンのＲＯＭにあらかじめ格納されているデータテーブルの一例を示す図
【図４】図１に示したラジオ受信機１００の動作を示すフローチャート
【図５】（Ａ），（Ｂ）は、特許文献１のラジオ受信機Ｒに異なるアンテナを接続した状態を示すブロック図
【図６】特許文献１のラジオ受信機Ｒの内部構成を示すブロック図
【発明を実施するための形態】
【００１０】
以下、本発明の実施形態について、図面を参照しながら説明する。
【００１１】
図１は、一実施形態のラジオ受信機の内部構成を示すブロック図である。ラジオ受信機１００は、アンテナ２００と電気的に直接接続される構成であっても、アンテナアンプ３００を介してアンテナ２００と電気的に接続される構成であっても良い。
ラジオ受信機１００は、アンテナ２００で受信したＲＦ信号に対して所望の信号処理を行って、当該信号処理によって得られた音声信号をラジオ受信機１００に接続されたスピーカ４００に出力する。
アンテナアンプ３００は、アンテナ２００の種類に応じて、ＲＦ信号の増幅器としてアンテナ２００とラジオ受信機１００の間に設置される。
なお、アンテナアンプ３００は、ラジオ受信機１００から供給される電力によって駆動される。
【００１２】
図１に示すように、ラジオ受信機１００は、アンテナ接続端子１０１と、インピーダンス切替部１０２と、減衰部１０３と、ＩＦ部１０４と、復調部１０５と、ＡＧＣ制御部１０６（ＡＧＣ：Auto Gain Control）と、インピーダンス切替制御部としてのマイコン１０７とを備える。
【００１３】
アンテナ接続端子１０１は、アンテナ２００又はアンテナアンプ３００とラジオ受信機１００とを電気的に接続するための端子である。アンテナ２００で受信したＲＦ信号はアンテナ接続端子１０１を導通し、インピーダンス切替部１０２に入力される。
【００１４】
インピーダンス切替部１０２は、マイコン１０７から出力された制御信号の電圧レベルに応じて、アンテナ接続端子１０１側からみたラジオ受信機１００の入力インピーダンスを切り替える。
図２は、インピーダンス切替部１０２を構成する回路を示す図である。図２に示すように、インピーダンス切替部１０２は、ＰＩＮダイオード、トランジスタ、コイル、抵抗等から構成され、端子Ａ，Ｂ，Ｃを有する。端子Ａはマイコン１０７に、端子Ｂはアンテナ接続端子１０１に、端子Ｃは減衰部１０３に、それぞれ接続される。
【００１５】
端子Ａにはマイコン１０７から出力された制御信号が入力され、当該制御信号の電圧（制御電圧）が図２に示したトランジスタのベースに印加される。
制御電圧に応じたトランジスタの動作によって、端子ＢからＰＩＮダイオードを介した端子Ｃへの電流が制御される。
その結果、端子Ｂから端子Ｃへの経路上のＰＩＮダイオードの抵抗値が変化するため、この抵抗値の変化により、アンテナ接続端子１０１側からみたラジオ受信機１００の入力インピーダンスが切り替わる。
このように、マイコン１０７が制御信号の電圧レベルを変えれば、アンテナ接続端子１０１側からみたラジオ受信機１００の入力インピーダンスを所望の値に制御することができる。
【００１６】
減衰部１０３は、アンテナ２００が受信してアンテナ接続端子１０１及びインピーダンス切替部１０２を介したＲＦ信号の電圧レベルを、ＡＧＣ制御部１０６から印加されたＡＧＣ制御電圧に基づいて、ある一定レベルに抑える。
なお、減衰部１０３は、ＰＩＮダイオードを用いたアテネータであっても、可変ゲインのＬＮＡであっても良い。なお、減衰部１０３がＰＩＮダイオードを用いたアテネータである場合、ＰＩＮダイオードは順方向電流対直列抵抗特性によって抵抗値が変化するため、減衰部１０３は、入力されたＲＦ信号のレベルを減衰させる。
【００１７】
ＩＦ部１０４は、減衰部１０３から入力されたＲＦ信号を、一般的なスーパーヘテロダイン方式によって中間周波信号（ＩＦ信号）に周波数変換して増幅する。復調部１０５は、ＩＦ信号を復調し音声信号を出力する。復調部１０５の構成や復調方法は、従来の技術と同様であるため、その詳細な説明は省略する。
【００１８】
ＡＧＣ制御部１０６は、減衰部１０３から出力されたＲＦ信号のレベルを検出し、検出したレベルに応じたＡＧＣ制御電圧を減衰部１０３に印加することで、減衰部１０３のバイアス制御を行う。
また、ＡＧＣ制御部１０６は、検出したＲＦ信号のレベルがしきい値よりも大きいとき、すなわち、減衰部１０３によってＲＦ信号を最大限に減衰してもしきい値を上回るときは、この状態をマイコン１０７に通知する。なお、ＡＧＣ制御部１０６からの通知を示す信号はアナログ信号であるため、マイコン１０７の入力段にはＡ/Ｄコンバータが設けられる。
【００１９】
マイコン１０７は、例えばＣＰＵ、ＲＯＭ及びＲＡＭを含み、ＣＰＵがＲＯＭに格納されたコンピュータプログラムを、ＲＡＭを作業領域として使いながら実行することによって、ラジオ受信機１００の総括的な制御を実行する。
特に、マイコン１０７は、ＲＦ信号のレベルがしきい値よりも大きな状態であることを示す通知をＡＧＣ制御部１０６から受け取れば、ラジオ受信機１００が「強入力環境」下にあると判断する。
このとき、マイコン１０７は、インピーダンス切替部１０２においてラジオ受信機１００の入力インピーダンスが通常状態（非強入力環境）時の入力インピーダンスよりも高くなる制御電圧の制御信号を出力する。
マイコン１０７が出力した制御信号はインピーダンス切替部１０２の端子Ａに入力され、当該制御信号の電圧（制御電圧）がインピーダンス切替部１０２のトランジスタのベースに印加される。
【００２０】
マイコン１０７によるラジオ受信機１００が強入力環境下にあるか否かの判断結果に応じた制御電圧は、例えば、図３に示すデータテーブルに基づいて行われる。
図３は、マイコン１０７のＲＯＭにあらかじめ格納されているデータテーブルの一例を示す図である。
図３に示すように、ラジオ受信機１００が「強入力環境」下にあると判断したときにマイコン１０７が出力する制御信号の制御電圧はロー（Ｌ）レベルであり、当該判断時以外に出力する制御信号の制御電圧はハイ（Ｈ）レベルである。ローレベルの電圧は例えば０Ｖであり、ハイレベルの電圧は例えば電源電圧である。
【００２１】
次に、図４を参照して、本実施形態のラジオ受信機１００の動作について詳細に説明する。図４は、図１に示したラジオ受信機１００の動作を示すフローチャートである。図４に示すように、ＡＧＣ制御部１０６は、減衰部１０３から出力されたＲＦ信号のレベルを検出する（ステップＳ１０１）。
次に、ＡＧＣ制御部１０６は、ステップＳ１０１で得られた検出値がしきい値よりも大きいか否かを判断し（ステップＳ１０３）、検出値がしきい値よりも大きい（ＲＦ信号のレベル＞しきい値）ときはステップＳ１０５に進み、検出値がしきい値以下（ＲＦ信号のレベル≦しきい値）のときはステップＳ１０９に進む。
【００２２】
ステップＳ１０５では、ＡＧＣ制御部１０６は、ＲＦ信号のレベルがしきい値よりも大きな状態であることをマイコン１０７に通知する。
次に、マイコン１０７は、ラジオ受信機１００が「強入力環境」下にあると判断し、ラジオ受信機１００の入力インピーダンスが通常時よりも高いレベルとなるようインピーダンス切替部１０２を制御する（ステップＳ１０７）。
一方、ステップＳ１０９では、マイコン１０７は、ラジオ受信機１００が「強入力環境」下にはないと判断し、ラジオ受信機１００の入力インピーダンスを通常時のレベルに設定する。
【００２３】
以上説明したように、本実施形態のラジオ受信機１００は、アンテナ接続端子１０１側からみたラジオ受信機１００の入力インピーダンスを切り替えるためのインピーダンス切替部１０２を備える。
このため、ラジオ受信機１００に装着されるアンテナの仕様（アンテナアンプ３００の有無等）にかかわらず、受信したＲＦ信号の入力レベルに適したインピーダンスに切り替えられる。
その結果、強入力環境では、受信したＲＦ信号の電圧レベルを十分に減衰させることができるため、ラジオ受信機１００の内部で生じる信号の歪みを低減できる。
一方、強入力環境でないときには、受信したＲＦ信号の電圧レベルが低いときに不必要に当該電圧レベルを減衰させずにすむ。
また、ＡＧＣ制御電圧を強入力環境であることの検出として用いることで、アンテナアンプ検出回路を削除する事が可能となり、部品点数の削減ができる。
【産業上の利用可能性】
【００２４】
本発明に係るラジオ受信機は、異なるタイプのアンテナが装着され得るラジオ受信機等として有用である。
【符号の説明】
【００２５】
１００  ラジオ受信機
１０１  アンテナ接続端子
１０２  インピーダンス切替部
１０３  減衰部
１０４  ＩＦ部
１０５  復調部
１０６  ＡＧＣ制御部
１０７  マイコン
２００  アンテナ
３００  アンテナアンプ
４００  スピーカ
【図１】
2013110463.tif 000003
【図２】
2013110463.tif 000004
【図３】
2013110463.tif 000005
【図４】
2013110463.tif 000006
【図５】
2013110463.tif 000007
【図６】
2013110463.tif 000008